(57)【特許請求の範囲】
【請求項１】
躯体側のピース状の笠木ホルダーに嵌合して取り付けられた笠木を、当該笠木ホルダーから外すための笠木取外工具であって、
前記笠木ホルダーと前記笠木との間の隙間に挿入される棒状部と、この棒状部にほぼ直角に延設された操作部とを備えている笠木取外工具。
【請求項２】
前記操作部は長手方向の途中で折曲しており、この操作部の折曲方向は、前記棒状部を前記隙間に挿入した際、この棒状部が設けられた側とは反対側の端部が前記躯体から離間する方向である請求項１に記載の笠木取外工具。
【請求項３】
前記操作部とほぼ同形状であるとともに、一端が前記棒状部の先端部に係止されて前記操作部とほぼ平行に配置され、かつ他端が前記操作部における前記棒状部が設けられた側とは反対側の端部に係止される補助操作部を備え、この補助操作部の前記他端は、前記棒状部とほぼ平行な把持部を介して前記操作部の反対側の端部に係止されており、全体で略枠状に形成されている前記請求項１または請求項２に記載の笠木取外工具。
【請求項４】
躯体側のピース状の笠木ホルダーに嵌合して取り付けられた笠木を、当該笠木ホルダーから外すための笠木取外方法であって、
互いにほぼ直角に設けられた棒状部と操作部とを備えた笠木取外工具を用い、先ず、前記笠木取外工具の棒状部を前記笠木ホルダーと前記笠木との間に挿入し、次いで、前記操作部を下方側に引いて前記棒状部を前記笠木ホルダーと前記笠木との嵌合部分まで下ろし、この後、前記操作部の下端側を前記躯体から離すようにして手前に引き上げ、これにより前記棒状部を前記笠木の裏面側に当接させながら当該笠木の下端側を広げ、よって笠木を前記笠木ホルダーから外す笠木取外方法。
【発明の詳細な説明】
【０００１】
【発明の属する技術分野】
本発明は、笠木取外工具および笠木取外方法に関する。
【０００２】
【背景技術】
従来より、住宅のバルコニや外部の手すり壁、また、ビルの屋上等に設けられたパラペットには、笠木を設けることが多い。このような笠木の断面図を図５に示す。
図５において、笠木９０は、下側に開口した断面コ字形状のアルミ押出形材からなり、例えば、手すり壁やパラペット等の躯体８０の桁方向に沿って長尺に設けられている。このような笠木９０は、同様にアルミの押出形材製の短尺な笠木ホルダー７０を介して躯体８０の上面に取り付けられている。
【０００３】
この際、笠木ホルダー７０には、躯体８０への固定用のボルト６０が貫通する中央の平坦部７１と、この平坦部７１の両側（躯体８０の幅方向の両側であって、図５中の左右方向の両側）に連続して設けられた笠木支持面部７２とを備えており、この笠木支持面部７２は、躯体８０の角部分に対応してほぼ湾曲した断面形状とされている。そして、各笠木支持面部７２の下端間に、笠木９０の両下端の裏面に設けられた係合部９１が係合し、笠木９０全体が笠木ホルダー７０を覆うように上方から嵌合している。
【０００４】
【発明が解決しようとする課題】
しかしながら、このような構造で嵌合している笠木９０を、何らかの理由で笠木ホルダー７０から取り外す場合、従来では、作業者が力任せに無理矢理外したり、ドライバー等を用いて笠木９０の下端側を広げて外していた。このため、笠木９０を容易に笠木ホルダー７０から外すことができず、作業に手間がかかるという問題があった。
また、笠木９０を力任せに外したり、ドライバーで無理にこじってしまうと、笠木９０が変形したり、表面に傷が付く場合もあり、外した笠木９０を再度利用きないという問題も生じる。
【０００５】
本発明の目的は、笠木を容易に取り外すことができ、かつ変形や損傷を防止して確実に再利用できる笠木取外工具および笠木取外方法を提供することにある。
【０００６】
【課題を解決するための手段】
本発明の笠木取外工具は、躯体側のピース状の笠木ホルダーに嵌合して取り付けられた笠木を、当該笠木ホルダーから外すための笠木取外工具であって、前記笠木ホルダーと前記笠木との間の隙間に挿入される棒状部と、この棒状部にほぼ直角に延設された操作部とを備えていることを特徴とする。
【０００７】
このような本発明では、笠木取外工具の棒状部を笠木および笠木ホルダー間の隙間に挿入し、この後に操作部側を操作することにより、笠木ホルダーから笠木が簡単に外れるようになり、取外作業が容易かつ迅速に行われるようになる。
また、操作部側を操作することで笠木が容易に外れるから、笠木に無理な力が作用しないうえ、棒状部が笠木の表面に接触する心配もないので、笠木が変形したり、損傷するおそれがなく、外した笠木が確実に再利用されるようになる。
以上により、本発明の目的が達成される。
【０００８】
本発明の笠木取外工具では、前記操作部は長手方向の途中で折曲しており、この操作部の折曲方向は、前記棒状部を前記隙間に挿入した際、当該棒状部が設けられた側とは反対側の端部が前記躯体から離間する方向であることが好ましい。このような構成では、操作部が躯体から離間するように折曲しているので、操作部の端部側（棒状部が設けられていない側）が躯体に邪魔されずに容易に把持され、操作性が向上する。
【０００９】
本発明の笠木取外工具では、前記操作部とほぼ同形状であるとともに、一端が前記棒状部の先端部に係止されて前記操作部とほぼ平行に配置され、かつ他端が前記操作部における前記棒状部が設けられた側とは反対側の端部に係止される補助操作部を備え、この補助操作部の前記他端は、前記棒状部とほぼ平行な把持部を介して前記操作部の反対側の端部に係止されており、全体で略枠状に形成されていることを特徴とする。
このような構成では、操作部および補助操作部間に設けられた把持部を把持することにより、笠木取外工具の操作性が一層向上する。また、笠木取外工具全体が略枠状に形成されることで、笠木取外工具全体も補強されるので、操作中に笠木取外工具の各部の変形、特に隙間の大きさによって径寸法等に制約が生じ易い棒状部の変形が防止される。
【００１０】
一方、本発明の笠木取外方法は、躯体側のピース状の笠木ホルダーに嵌合して取り付けられた笠木を、当該笠木ホルダーから外すための笠木取外方法であって、互いにほぼ直角に設けられた棒状部と操作部とを備えた笠木取外工具を用い、先ず、前記笠木取外工具の棒状部を前記笠木ホルダーと前記笠木との間に挿入し、次いで、前記操作部を下方側に引いて前記棒状部を前記笠木ホルダーと前記笠木との嵌合部分まで下ろし、この後、前記操作部の下端側を前記躯体から離すようにして手前に引き上げ、これにより前記棒状部を前記笠木の裏面側に当接させながら当該笠木の下端側を広げ、よって笠木を前記笠木ホルダーから外すことを特徴とする。
【００１１】
このような方法によれば、本発明の笠木取外工具を用いて、笠木が笠木ホルダーから容易に外れるようになるから、第１実施形態と同様に、本発明の目的が達成される。
【００１２】
【発明の実施の形態】
以下、本発明の一実施形態を図面に基づいて説明する。
図１は、本実施形態にかかる笠木取外工具１０の全体を示す分解斜視図、図２ないし図４は、笠木取外工具１０を用いて笠木９０の取外方法を説明するための図である。ただし、笠木９０は、図５で説明したものと同構造であり、ここでの説明を省略する。
【００１３】
図１において、笠木取外工具１０は、Ｌ型の本体１１と、これに係止される補助部材１２とで構成されている。
本体１１は、鋼棒等からなる棒状部１３と、棒状部１３の一端側に直角に溶接等されて取り付けられた鋼板製の操作部１４とを備えている。
補助部材１２は、本体１１の操作部１４とほぼ同形状に設けられた鋼板製の補助操作部１５と、補助操作部１５の一端側に直角に溶接等された鋼板製の第１把持部１６と、補助操作部１５の長手方向の中央付近に溶接等された中空形鋼材製の第２把持部１７とを備えている。
【００１４】
より具体的に、本体１１の操作部１４には、棒状部１３が接合された小面状部１４Ａ、小面状部１４Ａに対して１６５°折曲した中面状部１４Ｂ、中面状部１４Ｂに対して１３５°折曲した大面状部１４Ｃが形成されている。また、大面状部１４Ｃの図中の下端側は、折り返して形成された係止溝１４Ｄになっている。
【００１５】
一方の補助部材１２の補助操作部１５にも、操作部１４と同様な小面状部１５Ａ、中面状部１５Ｂ、大面状部１５Ｃが形成されている。また、小面状部１５Ａの図中上端側は、ほぼ直角に折曲して形成された係止片１５Ｄになっている。補助部材１２を構成する第１把持部１６および第２把持部１７は、同じ長さ寸法を有し、棒状部１３と平行に設けられている。
【００１６】
このような笠木取外工具１０は、本体１１と補助部材１２とを一体にして使用されるが、一体にした状態では、棒状部１３先端に補助操作部１５上端の係止片１５Ｄが係止され、操作部１４下端の係止溝１４Ｄに第１把持部１６の先端が嵌り込んで係止される。これにより、笠木取外工具１０全体が四角枠状に形成されることになる。そして、補助操作部１５の第２把持部１７は、操作部１４の裏面側に当接される。
【００１７】
以上の笠木取外工具１０を用いて笠木９０を取り外す手順を、図２ないし図４を参照して以下に説明する。
先ず、図２（Ａ）、（Ｂ）に示すように、笠木取外工具１０の本体１１を用い、本体１１の棒状部１３を水平にした状態で、この棒状部１３を笠木９０内に下方側から差し入れる（図２（Ａ）中の矢印▲１▼）。そして、本体１１を横方向にずらし、棒状部１３を笠木ホルダー７０との間の隙間Ａに挿入する（同じく矢印▲２▼）。
【００１８】
次に、図３（Ａ）〜（Ｃ）に示すように、補助部材１２を本体１１と同様にして笠木９０内に下方側から差し入れる。次いで、補助部材１２を本体１１側にずらし、補助操作部１５の係止片１５Ｄを棒状部１３に係止させるとともに、補助操作部１５の第１把持部１６先端を操作部１４の係止溝１４Ｄに嵌め込む（図３（Ａ）、（Ｂ）。これにより、本体１１と補助部材１２とを一体にする。
この後、第１把持部１６と第２把持部１７とを把持して笠木取外工具１０全体を下方側にずらし、棒状部１３を笠木９０の係合部９１まで落とし込む（図３（Ｃ））。
【００１９】
この際、笠木取外工具１０の操作部１４および補助操作部１５は、各面状部１４Ａ〜１４Ｃ，１５Ａ〜１５Ｃが角度をなして折曲していることで、これらの操作部１４および補助操作部１５の下端が躯体８０の鉛直な外面から大きく離間することになり、作業者は第１把持部１６、第２把持部１７を容易に把持することが可能である。
また、棒状部１３の径寸法が十分大きい場合には、棒状部１３の係合部９１への落込みを行った段階で、笠木ホルダー７０の笠木支持面部７２下端と笠木９０の係合部９１とを分離させることも可能である。
【００２０】
最後に、図４（Ａ）、（Ｂ）に示すように、第１把持部１６および第２把持部１７を把持したまま、笠木取外工具１０全体を手前上方に引き上げ、棒状部１３を笠木９０の裏面側に接触させながら笠木９０の下端側を広げる（図４中の矢印▲３▼）。これにより、笠木９０の係合部９１を笠木ホルダー７０の下端から完全に分離させ、互いの嵌合状態を解除して笠木９０を笠木ホルダー７０から外す。
【００２１】
このような本実施形態によれば、以下のような効果がある。
(１)笠木９０を笠木ホルダー７０から取り外すにあたっては、専用の笠木取外工具１０を用いるとともに、この笠木取外工具１０の棒状部１３を笠木ホルダー７０と笠木９０との間の隙間Ａに挿入し、この後、一体とされた操作部１４および補助操作部１５側を操作するだけでよく、笠木ホルダー７０から笠木９０を簡単に外すことができ、取外作業を容易かつ迅速に行える。
【００２２】
(２)操作部１４および補助操作部１５側を操作するだけで笠木９０を容易に外すことができるため、笠木９０に無理な力をかけずにすみ、また、棒状部１３が笠木９０の表面を擦ったりしないので、笠木９０が変形したり、損傷するおそれがなく、外した笠木９０を確実に再利用できる。
【００２３】
(３)操作部１４および補助操作部１５が角度をなして折曲していることにより、笠木取外工具１０が笠木９０を外すためにセットされた状態では、操作部１４および補助操作部１５の下端側を躯体８０の鉛直面から離間するから、これらと一体に組まれた第１把持部１６、第２把持部１７を躯体８０に邪魔されずに容易に把持でき、作業性をさらに良好にできる。
【００２４】
(４)作業者は第１把持部１６や第２把持部１７を両手で把持することで、操作部１４および補助操作部１５の操作を一層良好にでき、笠木取外工具１０全体の引き下げや引き上げ等の操作を無理なく行え、この点でも作業性が向上する。
【００２５】
(５)笠木取外工具１０は、棒状部１３、操作部１４、補助操作部１５、および第１把持部１６により全体枠状に形成されるため、それらの各部を効果的に補強できる。特に棒状部１３には片持ち梁状態で力がかかる心配がなく、棒状部１３が容易に変形したり、操作部１４との溶接部分に力が集中するのを防止でき、耐久性を向上させることができる。
【００２６】
(６)笠木取外工具１０は、簡単に入手可能な鋼棒、鋼板、形鋼材等からなるうえ、構造も簡素であるから、材料費や製作コストを安価にでき、笠木９０の施工業者でも大きな経費負担なしに用いることができる。
【００２７】
なお、本発明は、前記実施形態に限定されるものではない。
例えば、前記実施形態では、笠木取外工具１０が本体１１と補助部材１２とで構成されていたが、補助部材１２がない場合でも本発明に含まれる。しかし、本体１１のみでは、棒状部１３が片持ち状態で力を受けることになるから、笠木９０と笠木ホルダー７０との嵌合状態がきつい場合には、棒状部１３が変形する可能性が生じ、これを防止するためにはやはり、補助部材１２を設けることが望ましい。
【００２８】
また、補助部材１２を用いることにより、第１把持部１６や第２把持部１７も簡単に設けることができるので、操作性を格段に向上させることができ、補助部材１２を設けることは、作業性を向上させるためにも有効である。ただし、第２把持部１７等は、必要に応じて設ければよく、第１把持部１６のみが設けられた場合でも本発明の請求項３に含まれる。
【００２９】
さらに、笠木取外工具１０を構成する各部の材質や具体的な形状等は、前記実施形態のものに限定されず、本発明の目的を達成でき、かつ請求項１に記載された要件の範囲で任意に決められてよい。
【００３０】
【発明の効果】
以上に述べたように、本発明によれば、笠木を笠木ホルダーから容易に外すことができ、かつ笠木を確実に再利用できるという効果がある。
【図面の簡単な説明】
【図１】本発明の一実施形態にかかる笠木取外工具の全体を示す分解斜視図である。
【図２】前記笠木取外工具の初めの使用状態を示す斜視図（Ａ）および断面図（Ｂ）である。
【図３】前記笠木取外工具の次の使用状態を示す斜視図（Ａ）および断面図（Ｂ），（Ｃ）である。
【図４】前記笠木取外工具のさらに次の使用状態を示す斜視図（Ａ）および断面図（Ｂ）である。
【図５】背景技術を説明するための断面図である。
【符号の説明】
１０…笠木取外工具、１３…棒状部、１４…操作部、１５…補助操作部、１６…把持部である第１把持部、７０…笠木ホルダー、８０…躯体、９０…笠木。
【図１】
0003668155.tif 000002
【図２】
0003668155.tif 000003
【図３】
0003668155.tif 000004
【図４】
0003668155.tif 000005
【図５】
0003668155.tif 000006